(57)【要約】【課題】通信相手の無線機のバッテリー状態に応じて、発信側無線機での無駄な電力消費及び電波の飛散を軽減させる【解決手段】本発明の無線機によれば、バッテリー残量が低下した時、もしくは電源スイッチがオフにされた時に、通信相手の無線機に対して信号を送信する。この信号を受信した無線機は、当該無線機に対して無線通信を解除するよう制御を行う。バッテリーが回復した場合や、再度電源スイッチがオンにされた場合には、通信相手の無線機に対して信号を送信する。この信号を受信した無線機は、当該無線機に対して無線通信を接続するよう制御を行う。【選択図】図４
2009152872.tif 000002
【特許請求の範囲】
【請求項１】
バッテリーと、前記バッテリーからの電源電圧をオン／オフする電源スイッチを備えた無線機であって、
他の無線機と情報の送受信を行う通信手段と、
前記バッテリーの残量を検出するバッテリー残量検出手段と、
前記電源スイッチの動作を検出する電源スイッチ検出手段と、
前記バッテリー残量検出手段及び前記電源スイッチ検出手段によって検出された前記バッテリー及び電源スイッチに関する情報を示す電源情報信号を、前記通信手段を介して前記他の無線機に対して送信する電源情報送信手段と、
前記他の無線機から前記通信手段を介して受信した前記電源情報信号を記憶する記憶手段と、
前記記憶手段に記憶された前記電源情報信号をもとに、前記他の無線機に対して通信接続制御を行う通信接続制御手段と、
を備えることを特徴とする無線機。
【請求項２】
前記無線機は更に、前記記憶手段に記憶された前記電源情報信号をもとに、前記他の無線機のバッテリー又は電源スイッチに関する情報を表示する電源状態表示手段を備えることを特徴とする請求項１に記載の無線機。
【請求項３】
前記記憶手段は、前記他の無線機をグループごとに記憶していることを特徴とする請求項１又は２に記載の無線機。
【請求項４】
他の無線機と情報の送受信を行う通信工程と、
バッテリーの残量を検出するバッテリー残量検出工程と、
電源スイッチの動作を検出する電源スイッチ検出工程と、
前記バッテリー残量検出工程及び前記電源スイッチ検出工程によって検出された前記バッテリー及び電源スイッチに関する情報を示す電源情報信号を、前記通信工程によって前記他の無線機に対して送信する電源情報送信工程と、
前記他の無線機から前記通信工程によって受信した前記電源情報信号を記憶する記憶工程と、
前記記憶工程に記憶された前記電源情報信号をもとに、前記他の無線機に対して通信接続制御を行う通信接続制御工程と、
を含むことを特徴とする無線通信方法。
【発明の詳細な説明】
【技術分野】
【０００１】
本発明は、トランシーバー等の無線機及び無線通信方法に関する。
【背景技術】
【０００２】
従来、携帯電話やハンディターミナルのような携帯式の小型電気機器において、バッテリーの残量を機器本体の液晶画面等に表示させることによって、ユーザはバッテリーの残量を把握していた。
【０００３】
しかし、近年の携帯式の小型電気機器の発達により、大容量データをダウンロードする時など比較的長時間を要する時は、ユーザはバッテリーの残量が減少したことに気づかないことも多い。その結果、ユーザの知らない間にバッテリー切れとなり、データ通信が中断する恐れもある。
【０００４】
一方、無線機のような携帯式の小型電気機器の場合、危険を伴う作業をしながら通信を行うことが多い。このような場合、相手と通信が途絶えた場合、相手の無線機が電源をオフにしているのか、バッテリー切れを起こしたため作業を中断しなければならないのか判断がつかず、その後の作業に支障をきたすことも考えられる。
【０００５】
現在では、携帯式の小型電気機器におけるバッテリーの残量を外部機器や他の通信機に送信し、表示させて確認することも行われている。携帯式の小型電気機器におけるバッテリーの残量を外部機器等で確認することによって、不測の電池切れを予防している。
【０００６】
特許文献１には、外部機器や他の通信機にバッテリーの残量情報を送信し、表示させる技術が記載されている。
【特許文献１】特開２００３−１５３４５３号公報
【発明の開示】
【発明が解決しようとする課題】
【０００７】
しかし、特許文献１の技術のように、外部機器や他の通信機にバッテリーの残量情報を送信することにより、相手がバッテリー切れの時は事前に知ることができるが、相手が電源を切った場合には対応できず、自分のバッテリー情報を送信してしまう。
【０００８】
特に、無線機のような携帯式の小型電気機器では、先述のようにユーザが屋外等で危険を伴う作業をしながら無線通信をすることが多い。このような場合には、通信相手の無線機がバッテリー切れを起こした際、ユーザの無線機には通信相手がバッテリー切れである旨を表示するだけであり、作業中のユーザはこの表示に気づかないことが多い。
その結果、バッテリー切れの無線機に対して無駄な信号を送信することになり、自己の無線機のバッテリーの浪費や、無駄な電波の飛散を引き起こしている。
【０００９】
本発明の課題は、通信相手の無線機のバッテリー状態に応じて、発信側無線機での無駄な電力消費及び電波の飛散を軽減させることである。
【課題を解決するための手段】
【００１０】
請求項１に記載の発明は、
バッテリーと、前記バッテリーからの電源電圧をオン／オフする電源スイッチを備えた無線機であって、
他の無線機と情報の送受信を行う通信手段と、
前記バッテリーの残量を検出するバッテリー残量検出手段と、
前記電源スイッチの動作を検出する電源スイッチ検出手段と、
前記バッテリー残量検出手段及び前記電源スイッチ検出手段によって検出された前記バッテリー及び電源スイッチに関する情報を示す電源情報信号を、前記通信手段を介して前記他の無線機に対して送信する電源情報送信手段と、
前記他の無線機から前記通信手段を介して受信した前記電源情報信号を記憶する記憶手段と、
前記記憶手段に記憶された前記電源情報信号をもとに、前記他の無線機に対して通信接続制御を行う通信接続制御手段と、
を備えることを特徴としている。
【００１１】
請求項２に記載の発明は、請求項１に記載の発明において、
前記無線機は更に、前記記憶手段に記憶された前記電源情報信号をもとに、前記他の無線機のバッテリー又は電源スイッチに関する情報を表示する電源状態表示手段を備えることを特徴としている。
【００１２】
請求項３に記載の発明は、請求項１又は２に記載の発明において、
前記記憶手段は、前記他の無線機をグループごとに記憶していることを特徴としている。
【００１３】
請求項４に記載の発明は、
他の無線機と情報の送受信を行う通信工程と、
バッテリーの残量を検出するバッテリー残量検出工程と、
電源スイッチの動作を検出する電源スイッチ検出工程と、
前記バッテリー残量検出工程及び前記電源スイッチ検出工程によって検出された前記バッテリー及び電源スイッチに関する情報を示す電源情報信号を、前記通信工程によって前記他の無線機に対して送信する電源情報送信工程と、
前記他の無線機から前記通信工程によって受信した前記電源情報信号を記憶する記憶工程と、
前記記憶工程に記憶された前記電源情報信号をもとに、前記他の無線機に対して通信接続制御を行う通信接続制御工程と、
を含むことを特徴としている。
【発明の効果】
【００１４】
通信相手の無線機のバッテリー状態に応じて、発信側無線機での無駄な電力消費及び電波の飛散を軽減させる。
【発明を実施するための最良の形態】
【００１５】
以下、本発明に係る無線機について最適な実施形態の構成及び動作について図面を用いて詳細に説明する。
【００１６】
まず、本実施の形態における構成について説明する。
図１に、本発明に係る無線通信システムＮを示す。図１に示すように、本実施の形態では、複数の無線機１００相互間において、それぞれ無線通信を行う例を示している。
【００１７】
図２に無線機１００の機能的構成を示す。無線機１００はＣＰＵ１、記憶部２、バッテリー３、電源スイッチ４、電源スイッチ検出回路５、電圧検出回路６、増幅回路部７、通信部８、表示部９、ＲＡＭ１０、操作部１１から構成され、各部はバス１２を介して接続されている。
【００１８】
ＣＰＵ１は、制御部として機能し、記憶部２に記憶されている制御プログラムを読み出し、ＲＡＭ１０内に形成されたワークエリアに展開し、展開したプログラムに従って、無線機１００の各部を集中制御する。また、ＣＰＵ１は、記憶部２に記憶されている各種プログラムに従って、各種処理を実行する。
【００１９】
記憶部２は、記憶手段として機能し、コンピュータ読み取り可能な記憶媒体としての不揮発性の半導体メモリにより構成され、ＣＰＵ１によって実行される各種制御プログラム、後述する電源情報送信処理や通信接続制御処理を始めとする各種処理プログラム及びこれらのプログラムの実行に必要なパラメータや、後述する通信相手電源情報信号テーブルＴ１等の各種データ等を記憶する。
なお、上記記憶部２以外のその他のコンピュータ読み取り可能な媒体として、フラッシュメモリ等の不揮発性メモリ、ＣＤ−ＲＯＭ等の可搬型記録媒体を適用することが可能である。また、本発明に係るプログラムのデータを、搬送波（キャリアウェーブ）に重畳させて通信回線を介して提供することも可能である。
【００２０】
バッテリー３は、マンガン乾電池等の一次電池あるいはニッケル・カドミウム充電池、リチウム充電池、鉛蓄電池等の二次電池により構成され、所定の電源電圧を無線機１００内の各部に供給する。
また、バッテリー３は例えばサーミスタ等によって構成された温度検出回路を内蔵し、バッテリー３の温度情報をＣＰＵ１に対して出力する機能を備えた構成としてもよい。
【００２１】
電源スイッチ４は、バッテリー３から無線機１００内の各部に供給される電源電圧のオンとオフ（投入／遮断）の切り替えを行う。
【００２２】
電源スイッチ検出回路５は、電源スイッチ検出手段として機能し、電源スイッチ４の動作を検出する。電源スイッチ４が電源電圧オンとオフの切り換えを行った際に、ＣＰＵ１に対して信号を送信することによって電源スイッチ４の動作を伝達する。
【００２３】
電圧検出回路６は、バッテリー３の端子電圧を検出し、その検出信号をＣＰＵ１に対して出力する。具体的には、例えば電圧検出回路６は、電圧検出回路６内の負荷抵抗を流れる電流を検出し、ＣＰＵ１に対して出力する機能を備えた構成としてもよい。
【００２４】
ＣＰＵ１は、電圧検出回路６から入力されたバッテリー３の検出電圧をもとに、バッテリー３の電池残量を算出し、バッテリー残量検出手段として機能する。
例えば、電圧検出回路６によって検出されたバッテリー３の電圧、電圧検出回路６内の負荷抵抗を流れる電流、及びバッテリー３の電池温度の３値に対応したテーブルを記憶部２に記憶しておき、このテーブルを参照してバッテリー３の残量を算出する構成としてもよい。具体的には、記憶部２に記憶された対応テーブルを、電池温度及び負荷電流に対応させて補完することにより補完テーブルを作成する。そして、作成された補完テーブルにおいて、電圧検出回路６によって検出された電源電圧に対応するバッテリー３の残量を求める。
【００２５】
増幅回路部７は、主にＲＦ（Radio Frequency）回路やＡＦ（Audio Frequency）回路から構成され、入力された信号を増幅して通信部８へ出力する。
【００２６】
通信部８は、通信手段として機能し、ＣＰＵ１から出力を指示された音声や無線機の識別情報やバッテリー状態等の各種情報を電磁波に変換し、他の無線機との間で無線通信を行う。
【００２７】
表示部９は、液晶表示パネル等により構成され、ＣＰＵ１から入力される各種情報を表示する。
【００２８】
ＲＡＭ１０は、ＣＰＵ１によって実行される各種プログラムやこれらプログラムによって処理されたデータ等を一時的に記憶するワークエリアとして機能する。
【００２９】
操作部１１は、カーソルボタンや数字ボタン、各種機能ボタンからなるボタンを備えて構成され、押下されたボタンに対応する操作信号をＣＰＵ１に出力する。具体的には、他の無線機１００と無線通信を行うためのチャンネル入力や各種パラメータの入力を行うことができる。なお、必要に応じてタッチパネル等のポインティングデバイスを含むこととしても良い。
【００３０】
図３に、記憶部２が記憶する通信相手電源情報信号テーブルＴ１の一例を示す。
通信相手電源情報信号テーブルＴ１は無線機１００と無線通信をしている他の無線機１００を識別する個別ＩＤと電源情報信号を対応付けている。個別ＩＤとは、通信中の他の無線機１００に一意に割り当てられた識別情報である。電源情報信号とは、個別ＩＤに対応する無線機１００の電源状態を示す信号である。この電源情報信号は、通信可能信号、電源スイッチオフ信号、及びバッテリー切れ信号が設定される。
【００３１】
通信可能信号は、個別ＩＤに対応する無線機１００のバッテリー３の残量が十分にあり、通信可能であることを示す。電源スイッチオフ信号は、個別ＩＤに対応する無線機１００の電源スイッチ４がオフにされたことを示す。バッテリー切れ信号は、個別ＩＤに対応する無線機１００のバッテリー３の残量が少なくなった状態を示す。
通信可能信号、電源スイッチオフ信号、及びバッテリー切れ信号は後述する電源情報送信処理によって送信される。
【００３２】
例えば、図３の例では個別ＩＤが「ＡＡＡ」の無線機１００はバッテリー３の残量が十分にあり通信可能である状態を示す。個別ＩＤが「ＢＢＢ」の無線機１００は、電源スイッチ４がオフにされている状態を示し、個別ＩＤが「ＣＣＣ」の無線機１００は、バッテリー３の残量が少なくなった状態を示している。
無線機１００は後述する通信接続制御処理により、通信可能信号が対応付けられている無線機１００とのみ通信を行う。図３の例では、無線機１００は、個別ＩＤ「ＡＡＡ」の無線機１００とのみ無線通信を行い、個別ＩＤ「ＢＢＢ」と「ＣＣＣ」の無線機１００とは無線通信を行わない。
【００３３】
次に、本実施の形態の動作について説明する。
図４に無線機１００が行う電源情報送信処理を示す。電源情報送信処理は、無線機１００の電源スイッチ４がオンにされた際に、ＣＰＵ１と記憶部２に記憶されたプログラムとの協働によるソフトウェア処理により実現される。
電源情報送信処理では、先述した電源情報信号を他の無線機１００に送信する。
ＣＰＵ１は、電源情報送信処理により、電源情報送信手段として機能する。
【００３４】
まず、通信可能信号が通信部９を介して、通信相手電源情報信号テーブルＴ１に予め記憶された個別ＩＤに対応する他の無線機１００に送信される（ステップＳ４０１）。次に、電圧検出回路６が検出した電圧を基に、バッテリー３の残量が算出される（ステップＳ４０２）。
【００３５】
そして、ステップＳ４０２で算出されたバッテリー３の残量が、記憶部２に予め定められた基準値と比較される（ステップＳ４０３）。この基準値は可変であり、操作部１１によって入力が行われ、記憶部２に値が保持されている。
例えば、バッテリー３が消耗していることを早い段階で把握したい場合には、基準値を高く設定し、バッテリー３が切れる直前まで無線通信をしたい場合には、基準値を低く設定することができる。
【００３６】
バッテリー残量が基準値以上である場合には（ステップＳ４０３；ＮＯ）、電源スイッチ４がオンになっているか確認される（ステップＳ４０４）。
電源スイッチ４がオンであれば（ステップＳ４０４；ＹＥＳ）、ステップＳ４０２に戻る。無線機１００の電源がオフであれば（ステップＳ４０４；ＮＯ）、無線機１００の電源がオフにされたことを示す電源スイッチオフ信号が通信部９を介して、通信相手電源情報信号テーブルＴ１に予め記憶された個別ＩＤに対応する他の無線機１００に送信され（ステップＳ４０５）、処理は終了する。
【００３７】
無線機１００のバッテリー３の残量が基準値未満となった場合（ステップＳ４０３；ＹＥＳ）、バッテリー切れ信号が通信部９を介して、通信相手電源情報信号テーブルＴ１に予め記憶された個別ＩＤに対応する他の無線機１００に送信される（ステップＳ４０６）。次に、バッテリー３の残量が算出され（ステップＳ４０７）、記憶部２に予め定められた基準値と比較される（ステップＳ４０８）。この基準値はステップＳ４０３で用いられる基準値と同じである。
【００３８】
バッテリー３の残量が基準値未満である場合（ステップＳ４０８；ＹＥＳ）、電源スイッチ４がオンになっているか確認される（ステップＳ４０９）。電源スイッチ４がオフにされた場合（ステップＳ４０９；ＮＯ）、処理は終了する。
電源スイッチ４がオンの場合（ステップＳ４０９；ＹＥＳ）、再度ステップＳ４０７に戻る。
【００３９】
バッテリー残量が基準値以上である場合（ステップＳ４０８；ＮＯ）、記憶部２に予め記憶された個別ＩＤに対応する他の無線機１００に対して、通信可能信号を送信するため、ステップＳ４０１に戻る。
【００４０】
このように、バッテリー３の残量が基準値未満である場合、バッテリー切れ信号を送信することにより、バッテリー切れであることを他の無線機１００に知らせている。他の無線機１００に対してバッテリー切れ信号を送信した後、充電等がなされ、バッテリー３の残量がある程度回復し、無線通信しても差し支えないとステップＳ４０８によって判断された場合は、通信可能信号を通信相手の無線機１００に知らせることができる。
【００４１】
無線機１００は、通信相手電源情報信号テーブルＴ１に予め記憶された個別ＩＤに対応する他の無線機１００から電源情報信号を受信した際、受信した電源情報信号をもとに通信相手電源情報信号テーブルＴ１を更新する。その結果、当該個別ＩＤに対応する他の無線機１００の、現在のバッテリー３の状況及び電源スイッチ４の情報をリアルタイムで保持することができる。
例えば、図３の例では、個別ＩＤ「ＢＢＢ」に対応する無線機１００から通信可能信号を受信した場合、この無線機１００に対応する電源情報信号を電源スイッチオフ信号から通信可能信号に更新する。
【００４２】
次に、無線機１００が行う通信接続制御処理について説明する。
図５に無線機１００が行う通信接続制御処理を示す。通信接続制御処理は、操作部１１からの入力により無線機１００のチャンネルを合わせた際に、ＣＰＵ１と記憶部２に記憶されたプログラムとの協働によるソフトウェア処理により実現される。その後は、記憶部２に予め記憶された一定周期間隔で実行される。この一定周期間隔は可変であり、操作部１１によって入力が行われ、記憶部２に値が保持されている。
通信接続制御処理では、通信相手電源情報信号テーブルＴ１の情報をもとに、個別ＩＤに対応する無線機１００との通信接続及び通信解除を行う。
ＣＰＵ１は、通信接続制御処理により、通信接続制御手段として機能する。表示部９は、通信接続制御処理により、電源状態表示手段として機能する。
【００４３】
まず、記憶部２に記憶された通信相手電源情報信号テーブルＴ１が参照される（ステップＳ５０１）。次に、通信相手電源情報信号テーブルＴ１に格納された個別ＩＤに対応する無線機１００の電源情報信号が、通信可能信号であるかチェックされる（ステップＳ５０２）。
【００４４】
個別ＩＤに対応する無線機１００の電源情報信号が通信可能信号である場合（ステップＳ５０２；ＹＥＳ）、この無線機１００に対して無線通信を可能にする制御を行い（ステップＳ５０３）、この無線機１００に対して無線通信が可能である旨が表示部９に表示される（ステップＳ５０４）。
【００４５】
ステップＳ５０４で行われる無線通信を可能にする制御はＣＰＵ１の判断によって行われる。通信可能信号が対応付けられた無線機１００に対して、音声や電源情報信号等の各種情報を、通信部９を介して送信する制御を行う。
【００４６】
個別ＩＤに対応する無線機１００の電源情報信号が通信可能信号でない場合（ステップＳ５０２；ＮＯ）、この電源情報信号が電源スイッチオフ信号であるかチェックされる（ステップＳ５０５）。
【００４７】
個別ＩＤに対応する無線機１００の電源情報信号が、電源スイッチオフ信号である場合（ステップＳ５０５；ＹＥＳ）、この無線機１００に対して無線通信を解除する制御が行われる（ステップＳ５０６）。そして、この無線機１００の電源スイッチ４がオフにされている旨が表示部９に表示される（ステップＳ５０７）。
【００４８】
ステップＳ５０６で行われる無線通信接続を解除する制御は、ＣＰＵ１の判断によって行われる。電源スイッチオフ信号が対応付けられた無線機１００に対して、音声や電源情報信号等の各種送信情報を、通信部９を介して送信しないよう制御を行う。
【００４９】
個別ＩＤに対応する無線機１００の電源情報信号が、電源スイッチオフ信号でない場合（ステップＳ５０５；ＮＯ）、この無線機１００に対して無線通信接続を解除する制御が行われる（ステップＳ５０８）。そして、この無線機１００がバッテリー切れである旨が表示部９に表示される（ステップＳ５０９）。ステップＳ５０８で行われる処理はステップＳ５０６で行われる処理と同様である。
【００５０】
次いで、通信相手電源情報信号テーブルＴ１に格納された個別ＩＤが全て参照されたかどうかがチェックされる（ステップＳ５１０）。通信相手電源情報信号テーブルＴ１に格納された個別ＩＤが全て参照されていない場合（ステップＳ５０７；ＮＯ）、ステップＳ５０２に戻る。通信相手電源情報信号テーブルＴ１に格納された個別ＩＤが全て参照されている場合（ステップＳ５０７；ＹＥＳ）、処理は終了する。
【００５１】
このように、通信接続制御処理によれば、通信可能信号を受信した他の無線機１００に対してのみ無線通信が行われ、電源スイッチオフ信号又はバッテリー切れ信号を受信した他の無線機１００に対して無線通信を解除する制御がなされる。その結果、この無線機１００に対して無線通信が行われないので、無駄な電力消費や電波の飛散を軽減することができる。
【００５２】
また、操作部１１の操作によりチャンネルを合わせ、他の無線機１００と通信を行っている間に定期的に通信接続制御処理を実行することにより、他の無線機１００が電源スイッチ４をオフにした時や通信中にバッテリー切れを起こした際、この無線機１００に対して無線送信を解除するかどうか定期的に判断することができる。
【００５３】
バッテリー切れを起こした無線機１００のユーザが充電や電池交換を行った結果、バッテリーが回復し、この無線機１００から通信可能信号を受信した時は、通信相手電源情報信号テーブルＴ１に格納された電源情報信号が更新されているため、ステップＳ５０３により、当該無線機１００と再度無線通信を行うことができる。
【００５４】
次に本実施の形態における電源情報送信処理及び通信接続制御処理を、例を挙げて説明する。
図６に、本実施の形態における無線通信システムＮの一例を示す。図５の例では、無線通信システムＮは、無線機Ａ、無線機Ｂ、及び無線機Ｃの３台の無線機１００によって構成されている。
【００５５】
以下、無線機Ｃの動作を例に挙げて説明する。
無線機Ａと無線機Ｂのバッテリー３の残量が共に基準値以上であった場合、無線機Ａと無線機Ｂの電源情報送信処理により、無線機Ｃは無線機Ａと無線機Ｂから通信可能信号をそれぞれ受信する。そして、無線機Ｃの通信相手電源情報信号テーブルＴ１には無線機Ａと無線機Ｂから通信可能信号を受信したことが記憶される。
【００５６】
次に無線機Ｃの通信接続制御処理によって、通信相手電源情報信号テーブルＴ１がチェックされ、無線機Ａと無線機Ｂに対して無線通信を可能とする制御が行われる。
【００５７】
図７（a）に、無線機Ａと無線機Ｂの個別ＩＤに対応する電源情報信号が通信可能信号である場合の、無線機Ｃの表示部９の表示を示す。図７（a）に示すように、無線機Ｃの表示部９には無線機Ａと無線機Ｂが通信可能である旨が表示される。
この状態では、無線機Ｃは無線機Ａと無線機Ｂの両機と無線通信を行っている。
【００５８】
まず、無線機Ａの電源スイッチ４がオフにされた場合を説明する。
無線機Ａの電源スイッチ４がオフにされると、無線機Ｃは無線機Ａから電源スイッチオフ信号を受信する。そして、通信相手電源情報信号テーブルＴ１に格納されている無線機Ａの個別ＩＤに対応する電源情報信号が更新される。
無線機Ｃの通信接続制御処理が実行されると、ステップＳ５０６によって、無線機Ａに対する無線通信が解除される。
【００５９】
図７（b）に、無線機Ａの個別ＩＤに対応する電源情報信号が電源スイッチオフ信号であり、無線機Ｂの個別ＩＤに対応する電源情報信号が通信可能信号である場合の、無線機Ｃの表示部９の表示を示す。
図７（b）に示すように、無線機Ｃの表示部９には無線機Ａの電源スイッチ４がオフにされた旨が表示される。図７（b）に示す状態では、無線機Ｃは無線機Ａと通信を行わず、無線機Ｂとのみ通信を行う。
【００６０】
無線機Ａの電源スイッチ４がオンにされると、無線機Ｃは無線機Ａから通信可能信号を受信する。そして、通信相手電源情報信号テーブルＴ１に格納されている無線機Ａの個別ＩＤに対応する電源情報信号が更新される。無線機Ｃの通信接続制御処理が実行されると、ステップＳ５０３によって、無線機Ａに対する通信が接続され、図７（a）に示すように無線機Ａとの通信が可能である旨が無線機Ｃの表示部９に表示され、無線機Ａと無線通信が再度可能となる。
【００６１】
次に、無線機Ｂのバッテリーが基準値以下となった場合を説明する。
無線機Ｂのバッテリー３の残量が基準値未満になった場合、無線機Ｃは無線機Ｂからバッテリー切れ信号を受信する。そして、通信相手電源情報信号テーブルＴ１に格納されている無線機Ｂの個別ＩＤに対応する電源情報信号が更新される。無線機Ｃの通信接続制御処理が実行されると、ステップＳ５０８によって、無線機Ｂに対する通信が解除される。
【００６２】
図７（c）に、無線機Ａの個別ＩＤに対応する電源情報信号が通信可能信号であり、無線機Ｂの個別ＩＤに対応する電源情報信号がバッテリー切れ信号である場合の、無線機Ｃの表示部９の表示を示す。
図７（c）に示すように、無線機Ｃの表示部９には、無線機Ｂがバッテリー切れを起こした旨が表示部９に表示される。図７（c）に示す状態では、無線機Ｃは無線機Ｂと通信を行わず、無線機Ａとのみ通信を行う。
【００６３】
無線機Ｂのバッテリー３が充電等され、無線機Ｂの電源情報送信処理によりバッテリー残量が基準値以上に回復したと判断されると、無線機Ｃは通信可能信号を無線機Ｂより受信する。そして、通信相手電源情報信号テーブルＴ１に格納されている無線機Ｂの個別ＩＤに対応する電源情報信号が更新される。無線機Ｃの通信接続制御処理が実行されると、図７（ａ）に示すように、無線機Ｂとの通信が可能である旨が無線機Ｃの表示部９に表示され、無線機Ｂと無線通信が再度可能となる。
【００６４】
図７（d）に、無線機Ａの個別ＩＤに対応する電源情報信号がスイッチオフ信号であり、無線機Ｂの個別ＩＤに対応する電源情報信号がバッテリー切れ信号である場合の、無線機Ｃの表示部９の表示を示す。図７（d）に示す状態では、無線機Ｃは無線機Ａ及び無線機Ｂと無線通信をしていない。
【００６５】
このように本実施の形態では、無線機１００のバッテリー３のバッテリー切れが近い場合や電源スイッチ４がオフにされた際、通信相手にその旨を通知することによって、この無線機１００への通信を解除させることができる。その結果、バッテリー切れやスイッチがオフにされた無線機１００に対して無線送信をなくすことができ、無駄な電力の消費や電波の飛散が軽減される。
【００６６】
また、相手がバッテリー切れなのか自分で電源を切っているのか表示部９に表示されるので、無線機１００を使用して作業を行っている時でも、作業を中断すべきかその後の対応を判断することができる。
【００６７】
また、上記の例では、一つの通信相手電源情報信号テーブルＴ１に記憶された個別ＩＤに対応する無線機１００に対して電源情報信号を送信するとして説明したが、無線機１００をグループ分けし、グループごとに通信相手電源情報信号テーブルＴ１を使い分けても良い。
【００６８】
図８に、グループ内の無線機１００に自己の電源情報信号を送信する場合の例を示す。図８に示すように、無線機Ａはグループごとに通信相手電源情報信号テーブルＴ２及びＴ３を記憶部２に保持している。図８の例の場合、無線機Ａの記憶部２の通信相手電源情報信号テーブルＴ２に登録されている無線機Ｂ、無線機Ｃ、及び無線機Ｄ、もしくは通信相手電源情報信号テーブルＴ３に登録されている無線機Ｅ、無線機Ｆ、及び無線機Ｇに対して電源情報信号を送信することができる。
【００６９】
グループの切り換えは、無線機Ａの操作部１１からの操作によって行うことができる。例えば、無線機Ｂ、無線機Ｃ、及び無線機Ｄに対して電源情報信号を送信したい場合は、通信相手電源情報信号テーブルＴ２を設定する。同様に、無線機Ｅ、無線機Ｆ、及び無線機Ｇに対して電源情報信号を送信したい場合は、通信相手電源情報信号テーブルＴ３を設定する。
【００７０】
このように、無線機１００のユーザは、電源情報送信処理及び通信接続制御処理で使用する通信相手電源情報信号テーブルを切り替える操作を行うことにより、自己の電源情報信号を送信したい無線機１００を容易に管理することもできる。
【００７１】
その他、本実施の形態における無線機の細部構成及び細部動作に関しても、本発明の趣旨を逸脱することのない範囲で適宜変更可能である。
【図面の簡単な説明】
【００７２】
【図１】本発明の実施の形態における無線通信システムの全体構成を示す概要図である。
【図２】本発明の実施の形態における無線機の機能ブロック図である。
【図３】通信相手の電源情報を記憶するためのテーブルの一例を示す図である。
【図４】図１の無線機によって実行される、バッテリー情報を送信する電源情報送信処理を行うためのフローチャートである。
【図５】図１の無線機によって実行される、通信相手の電源情報に応じて通信制御をする通信接続制御処理を行うためのフローチャートである。
【図６】本発明の実施の形態における無線通信システムの全体構成を示す概要図である。
【図７】図５で示す通信接続制御処理が行われた無線機の表示画面の一例を示し、（a）は通常の通信状態の例を示し、（b）は無線機Ａから電源スイッチオフ信号を受信した場合の例を示し、（c）は無線機Ｂからバッテリー切れ信号を受信した場合を示し、（d）は無線機Ａから電源スイッチオフ信号を受信し、無線機Ｂからバッテリー切れ信号を受信した場合を示す模式図である。
【図８】通信相手をグループによって分けて無線通信を行う無線通信システムの全体構成を示す概要図である。
【符号の説明】
【００７３】
１００  無線機
１  ＣＰＵ
２  記憶部
３  バッテリー
４  電源スイッチ
５  電源スイッチ検出回路
６  電圧検出回路
７  増幅回路部
８  通信部
９  表示部
１０  ＲＡＭ
１１  操作部
１２  バス
【図１】
2009152872.tif 000003
【図２】
2009152872.tif 000004
【図３】
2009152872.tif 000005
【図４】
2009152872.tif 000006
【図５】
2009152872.tif 000007
【図６】
2009152872.tif 000008
【図７】
2009152872.tif 000009
【図８】
2009152872.tif 000010